(57)【特許請求の範囲】
【請求項１】
主骨が上部と下部に折り畳み可能に連結され、上部の主骨に受骨の一端部が回動可能に取り付けられる張骨の上部の主骨と下部の主骨の連結部に於いて、上部の主骨と下部の主骨が夫々の端部で内外方向に回動可能に連結され、この連結部に移動筒が主骨の上下方向に摺動自在に挿通され、主骨の伸長時に移動筒が自重で降下し、連結部が移動筒に被覆される位置に移動筒が停止するよう移動筒の一端が係合するストッパー部が下部の主骨に設けられ、主骨を逆さにして折り畳み時に移動筒が自重で降下し、連結部が移動筒から露出する位置に移動筒が停止するよう移動筒の他端が係合するストッパー部が上部の主骨に設けられていることを特徴とするほろ蚊帳等の張骨。
【請求項２】
移動筒の内側に、上部側が下部側より小径に形成された段部が設けられ、主骨の伸長時に降下した移動筒の段部が前記連結部に係合することを特徴とする請求項１記載のほろ蚊帳等の張骨。
【請求項３】
連結部に上部の主骨の連結端及び下部の主骨の連結端より外周が突出する曲面を有する保護板が設けられていることを特徴とする請求項１又は２記載のほろ蚊帳等の張骨。
【発明の詳細な説明】
【０００１】
【発明の属する技術分野】
本発明はほろ蚊帳、食卓覆い等に使用される張骨の改良に関するものである。
【０００２】
【従来の技術】
従来のほろ蚊帳等の張骨で、主骨が上部と下部に折り畳み可能に連結されているものは、図５に示すように連結具２０’により連結されている。
この連結具２０’は上部の主骨２Ａ’が嵌着される固定管部２０Ａ’を一方の側に有し、中央部に下部の主骨２Ｂ’が嵌着される回動管２０Ｂ’の一端が枢着２１’され、他方の側に回動管２０Ｂ’が一方向に回動するように規制したストッパー部２０Ｃ’が形成されている。そして、図示のように張骨１’を逆さにして折り畳むと、ストッパー部２０Ｃ’が枢着２１’部より長く突出している。
【０００３】
【発明が解決しようとする課題】
上記従来の連結具は、主骨２’の折り畳み時ストッパー部２０Ｃ’が枢着２１’部より長く突出しているので、この突出端に主骨２’に張設された網布が引っ掛かり、網布が損傷することが度々発生している。
特に、ほろ蚊帳や食卓覆いの張骨は主骨が４本で形成されるものが殆どで、洋傘等に比べて主骨の数が少ないので、折り畳み時網布のたるみも大きくなり、そのたるんだ箇所が前記ストッパー部の突出端に引っ掛かるのである。
【０００４】
上記点より本発明は、網布が主骨に引っ掛かり損傷を受けることのない、ほろ蚊帳等の張骨を提供しようとするものである。
【０００５】
【課題を解決するための手段】
上記課題を解決するため本発明ほろ蚊帳等の張骨は、主骨が上部と下部に折り畳み可能に連結され、上部の主骨に受骨の一端部が回動可能に取り付けられる張骨の上部の主骨と下部の主骨の連結部に於いて、上部の主骨と下部の主骨が夫々の端部で内外方向に回動可能に連結され、この連結部に移動筒が主骨の上下方向に摺動自在に挿通され、主骨の伸長時に移動筒が自重で降下し、連結部が移動筒に被覆される位置に移動筒が停止するよう移動筒の一端が係合するストッパー部が下部の主骨に設けられ、主骨を逆さにして折り畳み時に移動筒が自重で降下し、連結部が移動筒から露出する位置に移動筒が停止するよう移動筒の他端が係合するストッパー部が上部の主骨に設けられていることを特徴とするものである。
【０００６】
又、移動筒の内側に、上部側が下部側より小径に形成された段部を設けて、主骨の伸長時に降下した移動筒の段部が前記連結部に係合させることもできる。
【０００７】
又、連結部に上部の主骨の連結端及び下部の主骨の連結端より外周が突出する曲面を有する保護板を設けることもできる。
【０００８】
上記構成を有する本発明は、主骨が伸長する時は上部の主骨と下部の主骨の連結部に摺動自在に挿通された移動筒が自重で降下し、下部の主骨に設けたストッパー部に移動筒の一端が係合し、移動筒で連結部は被覆される。
そして、伸長された主骨はほろ蚊帳等の網布の張力を受けた場合、ほろ蚊帳等の内側へ湾曲するため連結部は回動し、移動筒の内側をほろ蚊帳等の外側方向へ圧接すると共に、上部の主骨の連結部付近及び下部の主骨の連結部付近は、夫々移動筒の端部内側をほろ蚊帳等の内側方向へ圧接した状態で連結部は固定され、移動筒内で保持される。
【０００９】
次に、張骨を折り畳む時は、張骨を逆さにすれば移動筒が自重で降下し、上部の主骨に設けたストッパー部に移動筒の他端が係合し、連結部は移動筒から露出するから下部の主骨は回動し、折り畳まれる。
【００１０】
そして、上部の主骨と下部の主骨は夫々の端部で内外方向へ回動可能に連結されているため、従来のように連結部で回動し、主骨を折り畳んだ時に連結部から突出する鋭利なストッパー部が存在しないため、ほろ蚊帳等の網布を損傷することがない。
【００１１】
又、移動筒の内側に段部が形成され、主骨の伸長時に降下した移動筒の段部が連結部に係合すれば、伸長時に連結部の納まりがよいと共に、下部の主骨のストッパー部がなくても移動筒は停止する。
【００１２】
又、連結部に上部の主骨の連結端及び下部の主骨の連結端より外周が突出する曲面を有する保護板が設けられているため、主骨を折り畳んだ場合、例え保護板の曲面が網布に触れても引っ掛かることがない。
【００１３】
【発明の実施の形態】
以下、本発明の一実施の形態を図面に基づき説明する。
図１は本発明張骨の伸長した時の部分断面図、図２は同上の張骨を逆さにして折り畳み時の部分断面図である。
而して、図中１は本発明張骨であり、張骨１は主骨２及び受骨３より構成されている。
主骨２は上部の主骨２Ａと下部の主骨２Ｂに分離され、下部の主骨２Ｂの上端は上部の主骨２Ａの下端に支軸４で内外方向へ回動可能に連結されている。
【００１４】
主骨２は可撓性を有する金属又は合成樹脂で細い棒状に作成され、上部の主骨２Ａ及び下部の主骨２Ｂの連結端部は偏平に形成されている。
又、上部の主骨２Ａと下部の主骨２Ｂの支軸４での連結部５には、上部の主骨２Ａと下部の主骨２Ｂとの間に上部の主骨２Ａの連結端及び下部の主骨２Ｂの連結端より外周が突出する曲面を有する保護板６が介在され、支軸４に挿着されている。保護板６は図面では円形の板体となっている。
【００１５】
７は連結部５に主骨２の上下方向に摺動自在に挿通された合成樹脂製の移動筒であり、この移動筒７は主骨２の伸長時、及び主骨２を逆さにして折り畳み時に自重で降下する。
【００１６】
８は下部の主骨２Ｂの上方部に屈曲形成したストッパー部であり、該ストッパー部８に主骨２の伸長時に移動筒７が自重で降下し、移動筒７の一端が係合して停止する（図１）。
このストッパー部８の位置は、移動筒７が自重で降下し停止した時に、連結部５が移動筒７で被覆される位置に形成される。
【００１７】
９は上部の主骨２Ａの下方部に屈曲形成したストッパー部であり、該ストッパー部９に主骨２を逆さにして折り畳み時に移動筒７が自重で降下し、移動筒７の一端が係合して停止する（図２）。
このストッパー部９の位置は、移動筒７が自重で降下し停止した時、連結部５が移動筒７から露出する位置に形成される。
ストッパー部８及びストッパー部９の形状は図面のように主骨２が直線上よりズレているが、主骨２を直線とし突状部を形成してもよい。
【００１８】
又、前記移動筒７は内側が変化のない通常の中空の孔となっているものでもよいが、図面のように移動筒７の内側に上部側が下部側より小径に形成され、境界に段部１０を形成することにより、主骨２の伸長時に移動筒７が自重で降下すると段部１０が連結部５に係合し移動筒７は停止するから、下部の主骨２Ｂのストッパー部８は必ずしも必要としなくなると共に、主骨２の湾曲時に連結部５の納まりもよくなる。
【００１９】
又、前記受骨３は一端部が上部の主骨２Ａに回動可能に取り付けられている。その取り付けは、上部の主骨２Ａに一枚の金属板を折り曲げ加工することにより形成した継手１１により取り付けられている。
継手１１は上部の主骨２Ａにかしめられて固定された上下の固定管１１Ａと、この固定管１１Ａの中央部に設けた固定管１１Ａと直交する保持管１１Ｂから成り、この保持管１１Ｂに受骨３の端部に形成された多角形の環状部３Ａの一辺が回動可能に挿通されている。
【００２０】
図３は、前記張骨１を使用したほろ蚊帳の一部切り欠いた部分正面図であり、１２は複数本の張骨１の主骨２の一端を放射状かつ揺動自在に枢支する上ろくろ、１３は複数本の張骨１の受骨３の一端を放射状かつ揺動自在に枢支する下ろくろ、１４は下ろくろ１３を引き上げる引き紐、１５は主骨２に張設された網布、１６は下部の主骨２Ｂの下端部に嵌着されて網布１５を掛止する掛止体である。
【００２１】
図４は、前記張骨１を使用したほろ蚊帳の網布１５を除いた状態で折り畳んだ正面図である。
尚、実施の形態では張骨１をほろ蚊帳に使用したが、これを食卓覆いに当然使用することができるものである。
又、図５は連結部５の拡大した側面図を示したものである。
【００２２】
【発明の効果】
本発明によれば、張骨の上部の主骨と下部の主骨は夫々の端部で内外方向へ回動可能に連結されているため、従来のように連結部で回動し、主骨を折り畳んだ時に連結部から突出する鋭利なストッパー部が存在しないため、ほろ蚊帳等の網布を損傷することがないと共に、ストッパー部による手等への怪我の恐れもなく安全性が高い。
又、連結部に上部の主骨の連結端及び下部の主骨の連結端より外周が突出する曲面を有する保護板が設けられているため、主骨を折り畳んだ場合、例え保護板の曲面が網布に触れても引っ掛かって損傷を受けることがない等の効果を有する有用な発明である。
【図面の簡単な説明】
【図１】本発明張骨の伸長した時の一実施の形態を示す部分断面図である。
【図２】本発明張骨を逆さにして折り畳み時の一実施の形態を示す部分断面図である。
【図３】本発明張骨を使用したほろ蚊帳の拡張時の一部切り欠き部分正面図である。
【図４】本発明張骨を使用したほろ蚊帳の逆さにして折り畳み時の正面図である。
【図５】本発明張骨を使用したほろ蚊帳の部分拡大側面図である。
【図６】従来の張骨の逆さにして折り畳み時の部分正面図である。
【符号の説明】
１  張骨
２  主骨
２Ａ  上部の主骨
２Ｂ  下部の主骨
３  受骨
４  支軸
５  連結部
６  保護板
７  移動筒
８  下部の主骨のストッパー部
９  上部の主骨のストッパー部
１０  段部
【図１】
0004398572.tif 000002
【図２】
0004398572.tif 000003
【図３】
0004398572.tif 000004
【図４】
0004398572.tif 000005
【図５】
0004398572.tif 000006
【図６】
0004398572.tif 000007